(57)【要約】【課題】三脚を使用しないとき反射板として使用する。【解決手段】三脚２の三本の脚がそれぞれ略水平になるように開脚させる。この開脚に伴って、三本の脚の各々に取付けてある取付具３０を、三本の脚の軸方向に沿って移動させ、反射シート２５に適度な張りを与える。基台１１から下側に突出したエレベーター１３側では、シート２５に貼り付けられた銀薄膜が露呈しており、シート２５によって大きな略平面である反射面４０が形成されている。日光や照明の光４２などをこの反射面４０に当て、反射光を被写体４１に当てることで、三脚２を反射板として使用することができる。【選択図】　　　　図５
2004118163.tif 000002
【特許請求の範囲】
【請求項１】
三本の脚の一方の端部が、それぞれ回動自在に基台に取り付けられた三脚において、
少なくとも片面に光を反射させる反射面を設けたシートの縁部が、前記各脚にそれぞれ取り付けられ、この各脚を開脚させたときに、前記シートが略平面を形成し、撮影用の反射板になることを特徴とする三脚。
【請求項２】
三本の脚の一方の端部が、それぞれ回動自在に基台に取り付けられた三脚において、
少なくとも片面に光を反射させる反射面を設けたシートが、各脚と基台に取り付けられており、この各脚を開脚させたときに前記シートが傘状に広がることによって、撮影用の反射傘となることを特徴とする三脚。
【請求項３】
前記三本の脚をそれぞれ略水平になるように開脚させたときに、前記シートが略平面を形成し、撮影用の反射板になることを特徴とした請求項２記載の三脚。
【請求項４】
前記シートは着脱自在に取り付けられていることを特徴とした請求項１ないし３いずれか記載の三脚。
【発明の詳細な説明】
【０００１】
【発明の属する技術分野】
本発明は、反射板としても使用できる三脚に関するものである。
【０００２】
【従来の技術】
さまざまな写真撮影が行われている中で、セルフタイマーによる撮影、望遠撮影、リモコン撮影やスローシャッター撮影などは、三脚を用いるのが一般的で野外で行われることも多い。その為、三脚の脚は伸縮自在、回動自在の構造となっているものが多く、コンパクトで携帯しやすいものが一般的に利用されている。
【０００３】
また、ポートレイトや逆光時の撮影では、反射板を使用して撮影が行われることがある。日光やストロボ光などを反射板で反射させ、被写体に反射光を当てて撮影を行うと、被写体の影の部分が明るくなる。更に、反射板でバウンスさせた光を被写体に当てると、光が拡散されて柔らかくなるため、被写体に立体感も出るのでより良い写真が撮影できる。
【０００４】
従来の反射板を備えた三脚は、無線区間設計のために対象となる２地点に障害物がないことを確認するために、Ｌ字形状の固定具に反射板を保持する保持ガイドと三脚に固定するための取付ナットを備え、反射板を保持させた固定具を三脚に取付けたものである（例えば、特許文献１参照）。
【０００５】
【特許文献１】
実開平５−６４８１４号公報
【０００６】
【発明が解決しようとする課題】
しかしながら、上記したように三脚や反射板は写真撮影時に毎回使用するものではない。しかし、撮影状況やより良い写真撮影には三脚や反射板は必要不可欠なものである。その為、撮影者はカメラのほかに三脚や反射板を個々に携帯しなければならない。また、特許文献１に記載の日光反射板固定具を使用して写真撮影する際には、十分な反射光を得るため固定具及び反射板を大型のものにすると、三脚を立てた時のバランスが悪くなり転倒する危険性がある。また、小型のものでは十分な反射光を被写体に当てることができない。
【０００７】
本発明は、上記問題点を解決するためになされたものであり、三脚として使用しない時には、撮影用の反射板や反射傘として使用できる三脚を提供することを目的とする。
【０００８】
【課題を解決するための手段】
三本の脚の一方の端部が、それぞれ回動自在に基台に取り付けられた三脚において、少なくとも片面に光を反射させる反射面を設けたシートの縁部が、各脚にそれぞれ取り付けられ、この各脚を開脚させたときに、シートが平面を形成し、撮影用の反射板となるものである。
【０００９】
三本の脚の一方の端部が、それぞれ回動自在に基台に取り付けられた三脚において、少なくとも片面に光を反射させる反射面を設けたシートが、各脚と基台に取り付けられており、この各脚を開脚させたときにシートが傘状に広がることによって、撮影用の反射傘となるものである。
【００１０】
三本の脚をそれぞれ略水平になるように開脚させたときに、シートが平面を形成し、撮影用の反射板となるものである。
【００１１】
シートは着脱自在に取り付けられているものである。
【００１２】
【発明の実施の形態】
図１に本発明を実施した三脚の構成を示す。この三脚２は大きく分けて、脚部、基台部、雲台部、反射部の四つから構成されている。三脚の９０％は脚部であるため、一般的に携帯するタイプの三脚の脚は、数段に分かれており、畳み込んで小さくできる。そして、ジュラルミンやカーボンファイバーなど軽くて丈夫な素材が使用されている。
【００１３】
脚部は、パイプ形状をした脚５ａ〜５ｃとこの脚５ａ〜５ｃよりも直径の小さいパイプ形状の伸縮脚６ａ〜６ｃ、伸縮脚６ａ〜６ｃの長さ調整を行う伸縮調整リング７と、石突８から構成されている。三脚２の携帯時には、伸縮脚６ａ〜６ｃは脚５ａ〜５ｃの内部に収納されており、伸縮調整リング７を右回転させると伸縮脚６ａ〜６ｃは固定され、左回転させると固定が解除されて伸縮自在となり長さを変えることができる。伸縮脚６ａ〜６ｃの先端部に備えられた石突８には、滑り止め防止用のゴムキャップが取付けられている。
【００１４】
基台部は、基台１１、クランクハンドル１２、エレベータ１３と、基台１１に脚５ａ〜５ｃを回動自在にジョイントしているジョイント部１４から構成されている。このエレベータ１３は、クランクハンドル１２の操作によって伸縮脚６ａ〜６ｃの長さを変えずにカメラの位置を上下に微調整することができる。ジョイント部１４では、脚５ａ〜５ｃの一方の端部がボルト止めされており、脚５ａ〜５ｃは略水平になるまで開脚できる構造となっている。
【００１５】
雲台部は、カメラの取付け用のビスが備えてある雲台プレート２０、雲台２１と、雲台２１を上下左右に振りカメラを撮影方向に向けるためのパン棒２２とから構成されており、雲台２１はエレベータ１３の一方の端部に設けられた連結部２３に回動自在に取付られている。そして、この雲台プレート２０には、カメラ２４がビスによって固定されており撮影可能な状態となっている。
【００１６】
反射部は、基台１１の下側で、且つ三本の脚５ａ〜５ｃと脚の間に３枚のシート２５が備えてある。このシート２５は片面に銀薄膜などの光を反射する素材が貼着されており、略扇形の形状をしている。略扇形の頂点部は基台１１の裏面で、脚５ａ〜５ｃのそれぞれのジョイント部１４の間で接着剤などによって固着されている。略扇形の円弧部の両端には脚５ａ〜５ｃに備えられている取付具３０に取付けられている。図２にも示すように取付具３０は、リングの一部に開口部３１が設けられており、弾性変形が可能で脚５ａ〜５ｃを狭持している。この取付具３０の外周面には止め具３２が形成されており、シート２５の円弧部の両端に設けられた取付穴２５ａに止め具３２が挿入されて、シート２５が脚５ａ〜５ｃに取り付けられている。また、シート２５は、防水性に優れ、軽くて耐久性のあるナイロン素材でできている。
【００１７】
三脚の脚５ａ〜５ｃを開脚させた時には、脚５ａ〜５ｃの開く角度によってシート２５が引っ張られたり弛むので、その都度、取付具３０の開口部３１を広げながら脚５ａ〜５ｃの軸方向に沿って取付具３０を移動させ、シート２５の張り具合を調節することができる。
【００１８】
また、シート２５を三脚２に固定せず着脱自在にしても良い。例えば、図２のＬ方向から見た図３のように、略扇形のシート２５の頂点部を接着剤などで基台１１に固着させず、頂点部に吊リング３５を設ける。基台１１の底面には吊リング３５を引っ掛けるフック部３６を形成させ、頂点部に設けられた吊リング３５をフック部３６に引っ掛けて取り付ける。略扇形の円弧部の両端には、前記同様の取付具３０を使用するが、この取付具３０に設けた開口部３１の開口幅は、脚５ａ〜５ｃの直径より少し小さめに形成する。これにより、開口部３１を左右に広げることで取付具３０を脚５ａ〜５ｃから取り外すことができる。
【００１９】
なお、この例ではシート２５に吊リング３５や取付け具３０を用いたが、マジックテープ（登録商標）や紐などを用いても良い。また、シート２５の頂点部を基台１１に取付けたが、頂点部付近の縁部を脚５ａ〜５ｃやジョイント部１４などに取付けても良い。
【００２０】
図４に示すように、携帯時や収納時には伸縮脚６ａ〜６ｃを脚５ａ〜５ｃの内部に収納し、基台１１の下側で脚５ａ〜５ｃを閉脚させる。そして、シート２５をこの脚５ａ〜５ｃの内側に折りたたんで収納することで、三脚２自体が非常にコンパクトになるので、携帯が容易になり収納スペースも少なくてすむ。
【００２１】
図５に示すように、脚５ａ〜５ｃを略水平になるようにそれぞれ開脚させる。各々の取付具３０を脚５ａ〜５ｃの軸方向に沿って移動させ、シート２５に適度な張りを与える。シート２５は脚５ａ〜５ｃの部分で一部重なり合っている。（図３参照）そのため、シート２５の間から脚５ａ〜５ｃが露出することはく、十分な光を反射させることができる。
【００２２】
基台１１から下側に突出したエレベーター１３の端部１３ａ側ではシート２５に貼り付けられた銀薄膜が露呈しており、三枚のシート２５によって構成された大きな略平面である反射面４０を形成している。日光や照明の光４２などを、この反射面４０に当てて反射光を被写体４１に当てることで、三脚２を撮影用の反射板として使用することができる。
【００２３】
図６に示すように、脚５ａ〜５ｃをそれぞれ適度に開脚させることで、シート２５は傘状に広がり、撮影用の反射傘のような形状になる。この時、取付具３０を脚５ａ〜５ｃの軸方向に沿って移動させてシート２５に適度な張りを与えることで、シート２５に皺のない反射面を形成することができる。そして、基台１１から下方に突出したエレベーター１３の端部１３ａが、被写体４１に向くように三脚２を反転させると、シート２５に貼り付けられた銀薄膜が被写体４１の方に向けられる。ストロボや照明の光４２をエレベータ１３の端部１３ａ側に向けて当てると、銀薄膜で反射した反射光が被写体４１に当たり三脚２を撮影用の反射傘として使用することができる。
【００２４】
以下、上記構成による作用について説明する。セルフタイマー撮影、望遠撮影やスローシャッター撮影などの撮影作業では、図１に示すように三脚２の脚５ａ〜５ｃを適度に開脚させ、カメラを雲台プレート２０に固定させて撮影を行う。
【００２５】
三脚２を使用せずにポートレイト撮影や逆光などの撮影行う時には、図５に示すように、三本の脚５ａ〜５ｃをそれぞれ略水平になるように開脚させると共に、脚５ａ〜５ｃに備えられた取付具３０の開口部３１を広げながら脚５ａ〜５ｃの軸方向に沿ってシート２５の円弧部の両端を引っ張ることで、各々のシート２５に適度な張りが与えられる。シート２５によって構成された大きな略平面の反射面４０が形成される。撮影時には適度に三脚２を傾けて反射面４０を被写体４１に向け、日光や照明ライトなどの光４２の反射光を被写体４１に当てることで、被写体４１にできる影の部分を明るくし撮影することができる。
【００２６】
図６に示すように、開脚させる脚５ａ〜５ｃの角度を調節して、脚５ａ〜５ｃの内側に傘状の空間を形成させる。取付具３０を脚５ａ〜５ｃの軸方向に沿って移動させシート２５に適度な張りを与えることによって、基台１１から下の部分が傘を開いた様な形状になる。基台１１から下方に突出したエレベータ１３の端部１３ａが、被写体４１に向くように三脚２を反転させ配置させる。そして、ストロボや照明器具の発光面をエレベータ端部１３ａ側に向けて設置し、光４２を当てると銀薄膜によって反射した反射光が被写体４１に当たる。また、例えば被写体４１の方に向いているエレベータ１３の端部１３ａに、伸縮自在の延長棒４４などを取付け、この延長棒４４にストロボ４５や照明器具などを固定しシート２５の銀薄膜に向けて光４２を当てるようにしても良い。このようにして、シート２５によってバウンスさせた光を被写体４１に当てることで、立体感のある写真が撮影できる。
【００２７】
携帯時や収納時には伸縮脚６ａ〜６ｃを脚５ａ〜５ｃの内部に収納し、基台１１の下側で脚５ａ〜５ｃを近接させ閉脚位置にして、脚５ａ〜５ｃの内側でシート２５を折りたたんで収納することで、三脚２自体が非常にコンパクトになり、携帯が容易になり収納スペースが少なくてすむ。
【００２８】
また、別の実施例としては、図７に示すように、片面に銀薄膜などの光を反射する素材を貼着した略三角形のシート５０を使用する。このシート５０の三つの頂点部には上記と同様に取り付け具３０が備えられている。シート５０は、銀薄膜の貼着された光の反射面を下にして取付け具３０によって脚５ａ〜５ｃにそれぞれ取り付けられている。
【００２９】
三脚２を撮影用の反射板として使用する際には、脚５ａ〜５ｃを適度に開脚させる。この開脚に伴って、取付け具３０を脚５ａ〜５ｃの軸方向に移動させてシート５０に適度な張り与える。これにより、シート５０には略平面の反射面が形成される。そして、三脚２を反転させてシート５０の反射面を被写体の向けて、日光や照明ライトの反射光を被写体に当てて撮影を行う。
【００３０】
また、弾性変形の可能な取付け具３０の開口部３１を、脚５ａ〜５ｃの直径より少し小さく形成することで、開口部３１を広げて脚５ａ〜５ｃから取付け具３０を取り外すことができるので、シート５０は三脚２に着脱自在に取付けられている。
【００３１】
なお、本実施例では、シートの裏面に銀薄膜を貼り付けて反射板、反射傘として使用したが、シートの表面にアルミホイルなどの反射素材を貼り付けてシートの両面を反射板として使用してもよい。また、撮影状況に合わせて、銀色の反射素材だけでなく、白や金色などの反射素材を貼り付けたシートを使用してもよい。
【００３２】
本実施例のシートはナイロン素材を使用しており、防水性に優れているので、野外撮影での突然のにわか雨や夕立のときには、三脚を反射傘の状態にして雨傘として使用することも可能である。
【００３３】
【発明の効果】
以上のように、本発明によれば、三脚の基部下側で、かつそれぞれの脚に銀薄膜を貼り付けたシートを備えたことで、撮影状況に応じて三脚として使用する時と、三脚として使用しない時には、脚を開脚させて反射板や反射傘として使用することができる。また、三脚の脚を閉脚させた時には、シートを脚の内側に折り畳んで収納するので、三脚と反射板を別々に携帯する必要がなく、携帯性が向上した。
【図面の簡単な説明】
【図１】本発明を用いた三脚の外観斜視図である。
【図２】取付具の構造を説明した斜視図である。
【図３】シートの取付け方の説明図である。
【図４】本発明を用いた三脚を折り畳んだ時の外観斜視図である。
【図５】三脚を反射板にしたときの説明図である。
【図６】三脚を反射傘にしたときの説明図である。
【図７】略三角形状のシートを使用した外観斜視図である。
【符号の説明】
２　三脚
５ａ〜５ｃ　脚
２５　シート
２５ａ取付穴
３０　取付具
３１　開口部
３２　止め具
３５　吊リング
３６　フック部
【図１】
2004118163.tif 000003
【図２】
2004118163.tif 000004
【図３】
2004118163.tif 000005
【図４】
2004118163.tif 000006
【図５】
2004118163.tif 000007
【図６】
2004118163.tif 000008
【図７】
2004118163.tif 000009